(57)【特許請求の範囲】
【請求項１】
観察時は赤外光で眼底を照射し、撮影時には可視光で眼底を照射して眼底を撮影する眼底撮影装置において、
少なくとも赤外光と可視光に感度を有し、赤外光で照射された眼底像を撮像する第１の撮像装置と、
少なくとも可視光に感度を有し、可視光で照射された眼底像を撮像する第２の撮像装置と、
写し込みデータを記録したデータ記録体を少なくとも可視光を含む光で照射する手段と、
可視光で照射された前記データ記録体の像を前記第１と第２の撮像装置に結像させる光学系とを有し、
前記光学系には、可視光の一部を第１の撮像装置に、残りの部分を第２の撮像装置に導く光学素子が設けられ、
観察時前記データ記録体の像が前記光学素子を介して第１の撮像装置により眼底像とともに観察できることを特徴とする眼底撮影装置。
【請求項２】
前記光学素子が、ダイクロイックミラーであることを特徴とする請求項１に記載の眼底撮影装置。
【請求項３】
データ記録体を照明する光の波長及び／又は光量が観察時と撮影時とで異なることを特徴とする請求項１又は２に記載の眼底撮影装置。
【請求項４】
観察時は赤外光で眼底を照射し、撮影時には可視光で眼底を照射して眼底を撮影する眼底撮影装置において、
少なくとも赤外光と可視光に感度を有し、赤外光で照射された眼底像を撮像する第１の撮像装置と、
少なくとも可視光に感度を有し、可視光で照射された眼底像を撮像する第２の撮像装置と、
写し込みデータを記録したデータ記録体を少なくとも可視光を含む光で照射する手段と、
可視光で照射された前記データ記録体の像を前記第１と第２の撮像装置に結像させる光学系とを有し、
観察時前記データ記録体の像が第１の撮像装置を介して眼底像とともに観察できるとともに、データ記録体を照明する光の波長及び／又は光量が観察時と撮影時とで異なることを特徴とする眼底撮影装置。
【発明の詳細な説明】
【０００１】
【発明の属する技術分野】
本発明は、眼底撮影装置、更に詳細には、観察時は赤外光で眼底を照射し、撮影時には可視光で眼底を照射して眼底を撮影する眼底撮影装置に関する。
【０００２】
【従来の技術】
このような眼底撮影装置は、眼底カメラとして知られており、眼底カメラには、主に可視光の光源を使用し被検眼を散瞳させて撮影する散瞳型眼底カメラと、光源として赤外光を使用することから被検眼を散瞳させる必要のない無散瞳型眼底カメラがある。
【０００３】
また、通常被検眼を識別するための識別番号、あるいはその他撮影に関連するデータ（撮影条件、撮影日など）を記録したデータカード（データ記録体）を写し込んで、後日の診断データに供することも行なわれている。
【０００４】
【発明が解決しようとする課題】
無散瞳型の眼底カメラの場合、観察時には赤外光で照射された眼底像を見なければならないので、観察時の光学系は赤外光を効率よく受光する光学系になっていて、可視光はほとんど受光できないようになっている。しかし、赤外光はデータカードに書かれている文字の部分も透過してしまうので、赤外光のみでデータカードを照明してデータを写し込もうとすると、観察時に画面上に文字が写らないため、写し込むデータの内容を観察時に眼底像と同時に確認することはできなかった。
【０００５】
本発明は、このような問題点を解決するためになされたもので、可視光で照明される写し込みデータを観察時に使用する撮像装置を介して眼底像と共に撮像して観察することが可能な眼底撮影装置を提供することをその課題とする。
【０００６】
【課題を解決するための手段】
本発明（請求項１）は、上記課題を解決するために、
観察時は赤外光で眼底を照射し、撮影時には可視光で眼底を照射して眼底を撮影する眼底撮影装置において、
少なくとも赤外光と可視光に感度を有し、赤外光で照射された眼底像を撮像する第１の撮像装置と、
少なくとも可視光に感度を有し、可視光で照射された眼底像を撮像する第２の撮像装置と、
写し込みデータを記録したデータ記録体を少なくとも可視光を含む光で照射する手段と、
可視光で照射された前記データ記録体の像を前記第１と第２の撮像装置に結像させる光学系とを有し、
前記光学系には、可視光の一部を第１の撮像装置に、残りの部分を第２の撮像装置に導く光学素子が設けられ、
観察時前記データ記録体の像が前記光学素子を介して第１の撮像装置により眼底像とともに観察できる構成を採用している。
また、本発明（請求項４）は、
観察時は赤外光で眼底を照射し、撮影時には可視光で眼底を照射して眼底を撮影する眼底撮影装置において、
少なくとも赤外光と可視光に感度を有し、赤外光で照射された眼底像を撮像する第１の撮像装置と、
少なくとも可視光に感度を有し、可視光で照射された眼底像を撮像する第２の撮像装置と、
写し込みデータを記録したデータ記録体を少なくとも可視光を含む光で照射する手段と、
可視光で照射された前記データ記録体の像を前記第１と第２の撮像装置に結像させる光学系とを有し、
観察時前記データ記録体の像が第１の撮像装置を介して眼底像とともに観察できるとともに、データ記録体を照明する光の波長及び／又は光量が観察時と撮影時とで異なる構成を採用している。
【０００７】
このような構成では、眼底像と同時に写し込むデータが、観察時良好に観察でき、また眼底撮影時には良好に眼底画像と共に記録媒体に写し込むことが可能になる。
【０００８】
【発明の実施の形態】
以下、図面に示す実施の形態に従って本発明を詳細に説明する。
【０００９】
図１は本発明に係わる眼底撮影装置である眼底カメラを示す。観察用光源であるランプ１から発せられた光は、赤外フィルター２、コンデンサーレンズ３、撮影用光源であるストロボ４、リング状照明を形成するためのリングスリット６、対物レンズの反射をとるための黒点板８、リレーレンズ９を通過し、中心に穴の開いた穴あき全反射ミラー１０で反射されてから対物レンズ１１を経て、被検眼Ｅの瞳Ｅｐより眼底Ｅｒに入射される。
【００１０】
眼底Ｅｒからの反射光は再び瞳Ｅｐから対物レンズ１１を介して受光され、穴あき全反射ミラー１０の穴を通過し、更に合焦レンズ１２、１３、結像レンズ１５を通過して、全反射ミラー１６に入射する。全反射ミラー１６で反射された光は、開口絞り１７を経て、赤外光並びに可視光を一部透過するとともに、可視光を反射するダイクロイックミラー１８に入射する。ダイクロイックミラー１８を透過した赤外光並びに可視光は、結像レンズ１９を通過して少なくとも赤外光と可視光に感度を有するＣＣＤカメラで構成された観察用（アライメント用）撮像装置２０に入射し、またダイクロイックミラー１８で反射した可視光は、結像レンズ２１を通過してＣＣＤカメラで構成された撮影用撮像装置２２に入射する。
【００１１】
撮像装置２０、２２はモニター２３に接続され、それぞれ撮影された像がモニター２３に表示できるようになっており、また撮像装置２２はビデオ磁気記録装置２４に接続されて撮像された像が磁気記録できるようになっている。また、このビデオ磁気記録装置２４に記録された映像はモニター２３に表示できるようになっている。
【００１２】
全反射ミラー１６とダイクロイックミラー１８間には、被検者ないし被検眼を識別するため識別番号、あるいはその他撮影日時、撮影条件などの写し込みデータを記録したデータ記録体（データカード）を写し込むための光学系が配置される。この光学系は、図２に詳細に図示されており、図１ではその光軸が図の面に対して垂直になっていて図示できないので、９０度傾斜させた状態で一点鎖線のブロックで囲われて図示されている。
【００１３】
データカード３０は、可視光領域の一部の波長を発光する光源３１、３１’で照明され、写し込みレンズ３２を介して全反射ミラー３３により反射されてダイクロイックミラー１８に入射し、そこを透過した光は結像レンズ１９を経て撮像装置２０に入射し、また反射した光は結像レンズ２１を経て撮像装置２２に入射する。
【００１４】
このような構成において、アライメントを行なう観察時には、ランプ１が点灯され、ランプからの光束が赤外フィルター２を通過することにより、赤外光がコンデンサーレンズ３、リングスリット６、黒点板８、リレーレンズ９を通過して、穴あき全反射ミラー１０で反射され、その後対物レンズ１１を経て、被検眼Ｅの瞳Ｅｐより眼底Ｅｒに入射し、それにより眼底は無散瞳状態で赤外光により照射される。
【００１５】
赤外光で照明された眼底像は、再び瞳Ｅｐから対物レンズ１１を介して受光され、穴あき全反射ミラー１０の穴を介して、合焦レンズ１２、１３、結像レンズ１５を通過し、全反射ミラー１６で反射され、ダイクロイックミラー１８に入射する。ダイクロイックミラー１８は図３（Ａ）、（Ｂ）に示したような反射率、透過率の特性を有し、４００〜６００ｎｍの可視光領域で約９５％の反射率、約５％の透過率を有し、また８００〜１０００ｎｍの赤外光領域でほぼ０％の反射率、約１００％の透過率を有している。
【００１６】
従って、赤外光で照射された眼底像は、ダイクロイックミラー１８を透過して観察用撮像装置２０に入射する。撮像装置２０は赤外光に感度を有するので、眼底像は撮像装置２０により撮影され、その眼底像は、撮像装置２０に接続されたモニター２２に映し出され、検者は眼底像を観察することができる。
【００１７】
このとき、同時に光源３１、３１’が点灯され、データカード３０が可視光で照明され、データカードの像がダイクロイックミラー１８に入射する。ダイクロイックミラー１８は可視光も一部（図３の特性では約５％）透過させるので、また撮像装置２０は可視光にも感度を有するので、データカード３０は撮像装置２０によって撮像され、検者はデータカード３０の内容を同様にモニター２３を介して見ることができ、患者の識別番号など写し込みデータを観察時に確認することができる。データカード３０には、サインペンなどを介して識別番号などが書かれることが多く、この場合、赤外光でデータカードを照明すると、黒字が透けてコントラストがなくなるが、可視光で照明されるので、検者はコントラストのあるデータを観察することができる。
【００１８】
このように、観察時眼底像とともに、データカードの内容を確認し、撮影の準備が整うと、ストロボ４が点灯され、眼底が可視光で照射され、眼底からの反射像がダイクロイックミラー１８に入射する。ダイクロイックミラー１８は可視光を大部分（図３の例では９５％）反射するので、眼底像が撮像装置２２によって効率的に撮像される。撮像された眼底像は、撮像装置２２に接続されたモニター２３により観察されるとともに、撮像装置２２に接続された磁気記録装置２４に記録することができる。またこのとき同時に可視光で照明されているデータカード３０も撮像装置２２により撮像されるので、眼底像とともに、データカードに書かれている写し込みデータをモニター２３で見たりあるいは磁気記録装置２４に記録することができる。
【００１９】
なお、上述した実施形態では、データカード３０のデータを写し込むために、データカードを照射する光源を可視域の一部の波長を持つ光を発光する光源にしているが、データカードを照射する光源は、撮像装置２０、２２の可視光感度に応じて観察時（アライメント時）と撮影時では、別波長であることが望ましい場合もある。従って、それぞれ可視光領域で異なる波長の可視光を発光する複数の発光ダイオードを設け、観察時には撮像装置２０の可視光感度に合った波長の発光ダイオードを点灯させ、また撮影時には撮像装置２２の可視光感度に合った波長の発光ダイオードを点灯させるようにする。また、ダイクロイックミラー１８の特性上、ダイクロイックミラー１８を通過する可視光は減少するので、観察時には点灯される発光ダイオードの光量を増大させ、これを補償するようにする。
【００２０】
【発明の効果】
以上説明したように、本発明では、写し込みデータを記録したデータ記録体が可視光で照明されるので、写し込みデータ像のコントラストを向上させることができる。また、観察用撮像装置が赤外光と可視光に感度を有することから、観察時データ記録体のデータを赤外光で照射された眼底像と一緒に撮像して観察することができ、写し込みデータと眼底像を確認した後それぞれ写し込みデータと眼底を撮影することができることから、良好で効率のよい眼底撮影が可能になる。
【図面の簡単な説明】
【図１】本発明に係わる眼底撮影装置の構成を示した光学図である。
【図２】データカードの写し込み光学系を示した光学図である。
【図３】ダイクロイックミラーの特性を示した特性図である。
【符号の説明】
１  ランプ
４  ストロボ
１１  対物レンズ
１８  ダイクロイックミラー
２０  観察用撮像装置
２２  撮影用撮像装置
３０  データカード
３２  写し込みレンズ
【図１】
0004590076.tif 000002
【図２】
0004590076.tif 000003
【図３】
0004590076.tif 000004